(57)【特許請求の範囲】
【請求項１】
天井裏に設けられる足場板を支持する天井裏足場支持構造であって、
天井吊ボルトに昇降可能に螺合されたナット部材と、
このナット部材に係止されるとともに前記足場板が載置される受部材を支持する天井裏足場支持用金具とを備えており、
前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、
前記固定機構は、前記天井吊ボルトの挿通位置よりも前記切欠部の開口端側で、且つ前記ナット部材の下側に位置して前記ナット部材の底面と前記天井吊ボルトの側面に係止するように前記支持部に取り付けられた棒状部材を備えて構成されている
ことを特徴とする天井裏足場支持構造。
【請求項２】
天井裏に設けられる足場板を支持する天井裏足場支持構造であって、
天井吊ボルトに昇降可能に螺合されたナット部材と、
このナット部材に係止されるとともに前記足場板が載置される受部材を支持する天井裏足場支持用金具とを備えており、
前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、
前記固定機構は、前記切欠部の開口端側から前記天井吊ボルトの挿通位置側に位置する前記ナット部材に向けて折り返された折返部と、前記折返部が前記ナット部材の外側面に押し付けられて係止する方向に前記天井吊ボルトを押圧するボルト部材とを備えて構成されている
ことを特徴とする天井裏足場支持構造。
【請求項３】
天井裏に設けられる足場板を支持する天井裏足場支持構造であって、
天井吊ボルトに昇降可能に螺合されたナット部材と、
このナット部材に係止されるとともに前記足場板が載置される受部材を支持する天井裏足場支持用金具とを備えており、
前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、
前記支持部は、前記係止部よりも下方に位置するように形成されており、前記天井吊ボルトの側面に当接する当接部を備え、
前記当接部は、前記支持部を構成する板材を折り曲げて前記天井吊ボルト側に突出して形成されている
ことを特徴とする天井裏足場支持構造。
【発明の詳細な説明】
【技術分野】
【０００１】
本発明は、吊天井において天井裏に設けられる足場を支持するための天井裏足場支持構造に関する。
【背景技術】
【０００２】
従来、吊天井において天井下地の補修や補強作業を行う際には、天井下地に足場を架け渡して載置し、その足場に作業者が乗って作業することが一般的に行われていた。しかし、これでは天井下地に直接足場を載せているため、天井下地に局所的な荷重がかかり、天井下地が変形してしまう虞があった。
【０００３】
そこで近年では、天井下地の変形を防止するために、特許文献１に示すような支持構造が提案されていた。かかる支持構造は、横片に側部に向けて開口するボルト挿通孔を有し、縦片に横向きボルトを有するＬ字状固定金具を形成し、横片のボルト挿通孔に天井吊ボルトを受け入れ、上下の中間挿通ナットによって横片を挟着する一方、縦片の横向きボルトを、孔開きアングル材（枠材）の孔に挿通させてナットによって締着することで、枠材を固定して、この枠材を複数の天井吊ボルトに架設配置し、この枠材に直交して足場板を載置するように構成されている。
【特許文献１】特開２００６−２８３５１４号公報（図４および図５参照）
【発明の開示】
【発明が解決しようとする課題】
【０００４】
しかしながら、特許文献１の支持構造では、上下のナットによって横片を挟着することで固定金具を固定しているため、固定性能は、ナットの締付け力に左右されることとなり、万一、ナットが緩むと固定金具が天井吊ボルトから離反してしまう虞があるという問題があった。
【０００５】
そこで、本発明は、前記の問題を解決するためになされたものであり、天井吊ボルトからの離脱を確実に防止できる天井裏足場支持構造を提供することを課題とする。
【課題を解決するための手段】
【０００６】
前記課題を解決するための請求項１に係る発明は、天井裏に設けられる足場板を支持する天井裏足場支持構造であって、天井吊ボルトに昇降可能に螺合されたナット部材と、このナット部材に係止されるとともに前記足場板が載置される受部材を支持する天井裏足場支持用金具とを備えており、前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、前記固定機構は、前記天井吊ボルトの挿通位置よりも前記切欠部の開口端側で、且つ前記ナット部材の下側に位置して前記ナット部材の底面と前記天井吊ボルトの側面に係止するように前記支持部に取り付けられた棒状部材を備えて構成されていることを特徴とする天井裏足場支持構造である。
【０００７】
このような構成によれば、固定機構によって、切欠部の開口端側で少なくとも天井吊ボルトまたはナット部材に係止するので、天井吊ボルトが切欠部の最奥部と固定機構とで挟まれることとなり、係止部が天井吊ボルトから離反することはない。また、棒状部材が天井吊ボルトの側面に係止することで、係止部の水平方向の抜出し側への移動を規制するとともに、棒状部材がナット部材の底面に係止することで、係止部の鉛直方向の上側への移動を規制することができる。
【００１０】
請求項２に係る発明は、天井裏に設けられる足場板を支持する天井裏足場支持構造であって、天井吊ボルトに昇降可能に螺合されたナット部材と、このナット部材に係止されるとともに前記足場板が載置される受部材を支持する天井裏足場支持用金具とを備えており、前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、前記固定機構は、前記切欠部の開口端側から前記天井吊ボルトの挿通位置側に位置する前記ナット部材に向けて折り返された折返部と、前記折返部が前記ナット部材の外側面に押し付けられて係止する方向に前記天井吊ボルトを押圧するボルト部材とを備えて構成されていることを特徴とする天井裏足場支持構造である。
【００１１】
このような構成によれば、固定機構によって、切欠部の開口端側で少なくとも天井吊ボルトまたはナット部材に係止するので、天井吊ボルトが切欠部の最奥部と固定機構とで挟まれることとなり、係止部が天井吊ボルトから離反することはない。また、折返部とボルト部材で、天井吊ボルトとナット部材を挟み込むことになるので、係止部が天井吊ボルトに確実に固定される。さらに、万一、ボルト部材が緩んだとしても、折返部がナット部材の外側面に係止するので、係止部が天井吊ボルトから離反することはない。
【００１２】
請求項３に係る発明は、天井裏に設けられる足場板を支持する天井裏足場支持構造であって、天井吊ボルトに昇降可能に螺合されたナット部材と、このナット部材に係止されるとともに前記足場板が載置される受部材を支持する天井裏足場支持用金具とを備えており、前記天井裏足場支持用金具は、前記天井吊ボルトを内挿可能な切欠部を備え前記天井吊ボルトの側方から移動して前記天井吊ボルトを内挿するとともに前記ナット部材上に載置される係止部と、この係止部と一体的に形成され前記受部材を支持する支持部と、前記切欠部の開口端側で少なくとも前記天井吊ボルトまたは前記ナット部材に係止することによって前記天井吊ボルトから前記係止部が離反するのを防止する固定機構と、を備えて構成されており、前記支持部は、前記係止部よりも下方に位置するように形成されており、前記天井吊ボルトの側面に当接する当接部を備え、前記当接部は、前記支持部を構成する板材を折り曲げて前記天井吊ボルト側に突出して形成されていることを特徴とする天井裏足場支持構造である。
【００１３】
このような構成によれば、固定機構によって、切欠部の開口端側で少なくとも天井吊ボルトまたはナット部材に係止するので、天井吊ボルトが切欠部の最奥部と固定機構とで挟まれることとなり、係止部が天井吊ボルトから離反することはない。また、足場板や受部材等の天井裏足場支持用金具にかかる荷重を、係止部と当接部とで分散して天井吊ボルトに伝達できるので、係止部にかかるモーメント力を軽減することができる。
【発明の効果】
【００１８】
本発明によれば、天井裏足場支持用金具の天井吊ボルトからの離脱を確実に防止することができるといった優れた効果を発揮する。
【発明を実施するための最良の形態】
【００１９】
（第一実施形態）
本発明に係る天井裏足場支持構造および天井裏足場支持用金具を実施するための第一の最良の実施の形態について図面を参照して詳細に説明する。なお、以下に説明する各実施形態において、足場板を載置して支持する受部材の延長方向をＸ軸方向とし、これと同じ水平面内でＸ軸と直交する方向をＹ軸方向とする。
【００２０】
図１は、本発明に係る天井裏足場支持構造および天井裏足場支持用金具を実施するための第一の最良の形態を示した斜視図である。図２は、第一実施形態に係る天井裏足場支持用金具を示した（ａ）は平面図、（ｂ）は正面図、（ｃ）は側面図である。図３は、第一実施形態に係る天井裏足場支持構造および天井裏足場支持用金具を示した全体斜視図である。
【００２１】
図１に示すように、かかる実施形態の天井裏足場支持構造１は、天井裏に設けられる足場板２（図３参照）を支持する支持構造であって、天井吊ボルト３に昇降可能に螺合されたナット部材４と、このナット部材４に係止されるとともに足場板２が載置される受部材５を支持する天井裏足場支持用金具６とを備えている。
【００２２】
図３に示すように、天井吊ボルト３は、上下方向に延出してＸ軸方向およびＹ軸方向にそれぞれ所定の間隔を隔てて配置されており、図示しない上方の床スラブや屋根下地等に吊るされて支持されている。天井吊ボルト３は、全長に亘って外周面にオネジ３ａが形成されており、その下端で固定金具を介して天井下地（図示せず）を支持するようになっている。ナット部材４は、内周面にメネジ（図示せず）を備えて、天井吊ボルト３のオネジ３ａ（図１参照）に螺合されており、回転することで天井吊ボルト３に沿って昇降可能になっている。ナット部材４は、一般形状のナット４ａを天井吊ボルト３の施工時に予め装着しておいてもよいし、開閉式のボルト中間部差込ナット（図示せず）を装着してもよいし、また、一部が切り欠かれたボルト中間部差込ナット（図示せず）を装着してもよい。受部材５は、Ｃ型チャンネルや、角パイプ等の形材（本実施形態ではＣ型チャンネル）にて構成されており、足場板２や作業者等の積載荷重を支持可能な強度を有している。受部材５は、重量を考慮してアルミニウム製の形材を用いるのが好ましい。
【００２３】
図１および図２に示すように、天井裏足場支持用金具６は、ナット部材４上に載置される係止部１０と、受部材５を支持する支持部２０と、天井吊ボルト３から係止部１０が離反するのを防止する固定機構３０と、を備えて構成されている。係止部１０と支持部２０は、金属製プレートを折曲加工することで一体形成されている。
【００２４】
係止部１０は、天井吊ボルト３を内挿可能な切欠部１１を備えており、天井吊ボルト３の側方から移動して天井吊ボルト３を切欠部１１内に内挿するように構成されている。係止部１０は、平面視して長方形を呈しており、ナット部材４の水平投影面積よりも大きい面積を有している。切欠部１１は、係止部１０のＸ軸方向（受部材５の延長方向）端部の一辺の中央部から直線状に切り欠かれて形成されている。切欠部１１は、天井吊ボルト３の外径と略同等の幅寸法を有しており、切欠き方向の最も奥側部分（以下「最奥部」という場合がある）は、天井吊ボルト３の外径と同径の半円状を呈している。切欠部１１の最奥部の半円の中心は、係止部１０の長方形の一対の対角線が交差する位置にあり、係止部１０の重心位置に天井吊ボルト３が内挿されるように構成されている。
【００２５】
支持部２０は、受部材５の底面と側面に沿うように形成されており、断面Ｕ字状を呈している。支持部２０は、底板部２０ａと、底板部２０ａの幅方向（Ｙ軸方向）両端から立ち上がる一対の側壁部２０ｂ，２０ｃとを備えて構成されている。係止部１０側に位置する側壁部２０ｂは、係止部１０のＹ軸方向端部から下方に向かって直角に折曲して垂下して構成されている。側壁部２０ｂは、受部材５の高さよりも長い高さ寸法を有している。
【００２６】
側壁部２０ｂの下端部近傍には、天井吊ボルト３側に突出して、天井吊ボルト３の側面に当接する当接部２２が形成されている。当接部２２は、天井裏足場支持用金具６を構成する金属製プレートをＵ字状に折曲げ加工することによって、天井吊ボルト３側に突出して形成されている。当接部２２は、側壁部２０ｂのＸ軸方向全長に亘って同一断面で、側壁部２０ｂと一体形成されている。なお、当接部２２は、折曲げ加工によって形成するものに限定されるものではなく、側壁部２０ｂの天井吊ボルト３側表面に、所定の強度を有する棒状の別部材を固定するようにしてもよい。この場合、当接部は、側壁部２０ｂのＸ軸方向全長に亘って設けてもよいし、天井吊ボルト３に相当する位置に局所的に設けてもよい。
【００２７】
底板部２０ａは、側壁部２０ｂの下端部から天井吊ボルト３とは逆側に向かって直角に折曲して水平に形成されている。底板部２０ａは、受部材５の幅と同等の幅寸法を有して平板状に形成されており、その上面に受部材５が載置される。
【００２８】
係止部１０とは逆側に位置する側壁部２０ｃは、底板部２０ａのＹ軸方向端部から上方に向かって直角に折曲して垂直に立ち上がっている。側壁部２０ｃは対向する側壁部２０ｂと、受部材５の幅と同等の間隔を隔てて配置されている。側壁部２０ｃは、受部材５の高さよりも長い高さ寸法（側壁部２０ｂと同等）を有しており、その上端部は、係止部１０と同じ高さに位置している。
【００２９】
このような構成の支持部２０によれば、受部材５は、底板部２０ａ上に載置されて、底板部２０ａでその自重および積載荷重が支持され、側壁部２０ｂ，２０ｃによって幅方向両側から挟まれて、幅方向への動きが規制されるようになっている。
【００３０】
固定機構３０は、切欠部１１の開口端１１ａ側で少なくとも天井吊ボルト３またはナット部材４に係止することによって、天井吊ボルト３から係止部１０が離反するのを防止するように構成されている。具体的には、固定機構３０は、天井吊ボルト３の挿通位置（係止部１０の重心位置）よりも切欠部１１の開口端１１ａ側で、ナット部材４の下側に位置してナット部材４の底面４ｂと天井吊ボルト３の側面３ｂに係止するように支持部２０に取り付けられたボルト（棒状部材）３１を備えて構成されている。
【００３１】
ボルト３１は、Ｙ軸方向に沿って配置されており、支持部２０の側壁部２０ｂ，２０ｃにそれぞれ形成されたボルト挿通孔２１，２１に挿通されている。係止部１０の、Ｙ軸方向の支持部２０とは逆側の端部には、下方に垂れ下がる垂下部３２が形成されており、この垂下部３２には、ボルト３１が螺合するボルト孔３３が形成されている。このボルト孔３３と、支持部２０のボルト挿通孔２１，２１は、Ｙ軸方向に沿って直線状に配置形成されている。ボルト孔３３には、肉厚部３３ａが形成されており、内部に形成されるメネジ（図示せず）の長さを長くして、ボルト３１の締付力を増強している。
【００３２】
なお、本実施形態では、垂下部３２にボルト孔３３を形成しているが、ボルト孔３３の形成位置はこれに限定されるものではなく、支持部２０の側壁部２０ｂ，２０ｃのいずれか、または両方にボルト孔を形成してもよい。このようにすれば、側壁部２０ｂからボルト３１を片持ちで延出させる構成とすることで、垂下部３２を形成しなくても済む。
【００３３】
また、本実施形態では、ボルト３１が、ナット部材４の底面４ｂと天井吊ボルト３の側面３ｂに係止するように構成されているが、天井吊ボルト３から係止部１０が離反しない範囲であれば、ボルト３１を、ナット部材４の底面４ｂと天井吊ボルト３の側面３ｂのいずれか一方、または両方と、若干の隙間をあけて配置するようにしてもよい。
【００３４】
さらに、本実施形態では、ボルト３１の挿入方向をＹ軸に沿うようにしているが、天井吊ボルト３から係止部１０が離反しない範囲であれば、Ｙ軸から傾斜して配置するようにしてもよい。
【００３５】
次に、以上のような構成の天井裏足場支持構造１および天井裏足場支持用金具６の組み立て工程と併せて、その作用効果を説明する。
【００３６】
天井裏で天井下地の補修や補強作業を行うに際しては、まず、天井吊ボルト３に予め装着していたナット部材４、あるいは作業時に装着したボルト中間部差込ナット（図示せず）を回転させて、所定の高さに移動させる。その後、係止部１０の切欠部１１に天井吊ボルト３が内挿されるように、天井吊ボルト３の側方から天井裏足場支持用金具６を移動させ、係止部１０をナット部材４上に載置する。このとき、天井裏足場支持用金具６は、天井吊ボルト３が係止部１０の重心部に位置するので安定した状態で載置されるとともに、所定の高さに位置決めされ設置されることとなる。
【００３７】
その後、固定機構３０であるボルト３１を、支持部２０の側壁部２０ｂ，２０ｃに形成されたボルト挿通孔２１，２１から挿通して、その先端部を垂下部３２のボルト孔３３に螺合させる。このとき、天井吊ボルト３は、水平方向に見て、切欠部１１とボルト３１によって取り囲まれ、さらに、ナット部材４は、上下方向に見て、係止部１０とボルト３１によって挟まれる。これによって、天井裏足場支持用金具６は、水平方向および上下方向において固定されることとなる。すなわち、ボルト３１が、係止部１０の水平方向の抜出し側への移動を規制するとともに、係止部１０の鉛直方向の上側への移動を規制することができるので、天井裏足場支持用金具６が天井吊ボルト３から離反することはない。また、このような構成によれば、万一、ナット部材４が回転したとしても、天井吊ボルト３は、切欠部１１とボルト３１によって取り囲まれているので、係止部１０が天井吊ボルト３から離反することはない。
【００３８】
天井裏足場支持用金具６は、図３に示すように、Ｘ軸方向およびＹ軸方向に所定の間隔を隔てて端位置された複数の天井吊ボルト３，３・・にそれぞれ設けられており、Ｘ軸方向に離間して配置された天井裏足場支持用金具６，６間に、受部材５を架け渡して支持する。受部材５は、支持部２０のＸ軸方向側方から、底板部２０ａ、側壁部２０ｂ，２０ｃおよびボルト３１で取り囲まれた空間に挿入するようにして設置される。なお、受部材５は、ボルト３１の装着前に、支持部２０の上方から載置するようにしてもよい。支持部２０に支持された受部材５は、ボルト３１によって上側が係止されるので、受部材５の浮き上がりを防止することができる。
【００３９】
受部材５は、Ｙ軸方向に所定の間隔をあけて複数配置され、これら受部材５，５間に、足場板２を架け渡して載置する。これによって、天井裏足場が形成され、天井下地に荷重をかけることなく作業を行うことができる。
【００４０】
さらに、かかる天井裏足場支持用金具６によれば、作業者が足場板２に乗ったままの状態であっても、係止部１０の下部にＸ軸方向側方からスパナを差し込んで、ナット部材４を回転させることで、高さの微調整を行うことが可能である。なお、スパナを差し込むためには、ナット部材４の周囲のスペースを確保するように天井裏足場支持用金具の係止部を広くしておけばよい。さらに、支持部２０の側壁部２０ｂ，２０ｃのいずれか、または両方にボルト孔を形成して、側壁部２０ｂからボルト３１を片持ちで延出させ、垂下部３２をなくした構成とすれば、開放された側（Ｙ軸方向側方）からスパナを差し込むことができ、ナット部材４の回転作業が行いやすくなり、高さの微調整を容易に行うことが可能となる。
【００４１】
また、支持部２０に、天井吊ボルト３の側面に当接する当接部２２を形成したことによって、足場板２や受部材５等の天井裏足場支持用金具６にかかる積載荷重を、係止部１０と当接部２２とで分散して天井吊ボルト３に伝達することができる。これによって、係止部１０にかかるモーメント力を軽減することができるとともに、係止部１０が傾いて浮き上がるのを防止できる。さらに、係止部１０にかかる応力を低減できるので、天井裏足場支持用金具６の板厚を薄くでき、軽量化を図ることができる。
【００４２】
（第二実施形態）
次に、本発明に係る天井裏足場支持構造および天井裏足場支持用金具を実施するための第二の最良の実施の形態について図面を参照して詳細に説明する。
【００４３】
図４は、本発明に係る天井裏足場支持構造および天井裏足場支持用金具を実施するための第二の最良の形態を示した斜視図である。図５は、第二実施形態に係る天井裏足場支持用金具を示した（ａ）は平面図、（ｂ）は正面図、（ｃ）は側面図である。
【００４４】
図４に示すように、かかる実施形態の天井裏足場支持構造１０１は、天井吊ボルト３に螺合されたナット部材４に、受部材５を支持する天井裏足場支持用金具１０６を載置して支持する構成は第一実施形態と同様であるが、天井裏足場支持用金具１０６の構成が第一実施形態と異なっている。
【００４５】
図４および図５に示すように、天井裏足場支持用金具１０６は、ナット部材４上に載置される係止部１１０と、受部材５を支持する支持部１２０と、天井吊ボルト３から係止部１０が離反するのを防止する固定機構１３０と、を備えて構成されている。本実施形態の天井裏足場支持用金具１０６は、固定機構１３０が第一実施形態と大きく異なる。係止部１１０と支持部１２０は、金属製プレートを折曲加工することで一体形成されている。
【００４６】
係止部１１０は、天井吊ボルト３を内挿可能な切欠部１１１の切欠き方向が第一実施形態と異なっている。かかる切欠部１１１は、係止部１１０のＹ軸方向（受部材５の幅方向）端部のうち、支持部１２０とは逆側端部の一辺の中央部から、Ｙ軸方向に沿って直線状に切り欠かれて形成されている。切欠部１１１は、天井吊ボルト３の外径と同等の幅寸法を有しており、切欠き方向の最も奥側部分は、天井吊ボルト３の外径と同径の半円状を呈している。切欠部１１１の最奥部の半円の中心は、係止部１１０の重心位置となるように構成されている。
【００４７】
支持部１２０は、受部材５の底面と側面に沿うように形成されており、断面Ｕ字状を呈している。支持部１２０は、第一実施形態と同様に、底板部２０ａと、一対の側壁部２０ｂ，２０ｃとを備えて構成されている。本実施形態では、係止部１１０寄りの側壁部２０ｂにボルト孔３３が形成され、他方の側壁部２０ｃにボルト挿通孔２１が形成されている。ボルト孔３３とボルト挿通孔２１は、各側壁部２０ｂ，２０ｃのＸ軸方向中間部に形成され、Ｙ軸方向に沿って直線状に並んで、その延長線上に天井吊ボルト３が位置するように構成されている。ボルト孔３３とボルト挿通孔２１は、その上端部が、ナット部材４の底面４ｂと同等の高さとなる高さに形成されている。なお、支持部１２０のその他の構成は第一実施形態と同様であるので、同じ符号を付して説明を省略する。
【００４８】
固定機構１３０は、切欠部１１１の開口端１１１ａ側からナット部材４に向けて折り返された折返部１３４と、折返部１３４がナット部材４の外側面４ｃに押し付けられて係止する方向に天井吊ボルト３を押圧するボルト３１（ボルト部材）とを備えて構成されている。
【００４９】
折返部１３４は、係止部１１０のＹ軸方向端部で、切欠部１１１の幅方向（Ｘ軸方向）両側にそれぞれ形成されている。折返部１３４の先端は、ナット部材４の外側面４ｃの形状に対応して傾斜して形成されており、ナット部材４の外側面４ｃに当接するように構成されている。
【００５０】
ボルト３１は、支持部１２０のボルト挿通孔２１に挿通されて、ボルト孔３３に螺合されており、回転することによって、ボルト３１の先端が天井吊ボルト３の側面３ｂを押圧するようになっている。また、挿入されたボルト３１は、その上端がナット部材４の底面に係止する。
【００５１】
このような固定機構１３０によれば、ボルト３１を締め付けて、天井吊ボルト３の側面３ｂを押圧することで、係止部１１０を含む天井裏足場支持用金具１０６全体が、支持部１２０側に付勢されることになり、係止部１１０と一体に形成された折返部１３４が、ナット部材４の外側面４ｃに押し付けられる。これによって、ナット部材４が挟持されることとなり、天井裏足場支持用金具１０６が振動することなく天井吊ボルト３に確実に固定され、天井裏足場支持用金具１０６が天井吊ボルト３から離反することはない。
【００５２】
さらに、折返部１３４の先端が、ナット部材４の外側面４ｃの形状に対応して傾斜して形成され、ナット部材４の外側面４ｃに当接するようになっているので、ナット部材４が回転することはない。
【００５３】
また、ボルト３１は、その先端がナット部材４の底面（図示せず）にも係止することになるので、鉛直方向の上側への移動を規制することができる。さらに、ボルト３１は、受部材５の上部に位置しているので、受部材５の浮き上がりを防止できる。
【００５４】
（第三実施形態）
本発明に係る天井裏足場支持構造および天井裏足場支持用金具を実施するための第三の最良の実施の形態について図面を参照して詳細に説明する。
【００５５】
図６は、本発明に係る天井裏足場支持構造および天井裏足場支持用金具を実施するための第三の最良の形態を示した斜視図である。図７は、第三実施形態に係る天井裏足場支持用金具を示した（ａ）は平面図、（ｂ）は正面図、（ｃ）は側面図である。
【００５６】
図６に示すように、かかる実施形態の天井裏足場支持構造２０１は、天井吊ボルト３に螺合されたナット部材４に、受部材５を支持する天井裏足場支持用金具２０６を載置して支持する構成は第一実施形態と同様であるが、天井裏足場支持用金具２０６の構成が第一実施形態と異なっている。
【００５７】
図６および図７に示すように、天井裏足場支持用金具２０６は、ナット部材４上に載置される係止部２１０と、受部材５を支持する支持部２２０と、天井吊ボルト３から係止部１０が離反するのを防止する固定機構２３０と、を備えて構成されている。本実施形態の天井裏足場支持用金具２０６は、第一実施形態と類似した形態であって、支持部２２０が、天井吊ボルト３を挟んで両側に形成された点で第一実施形態と異なっている。なお、係止部２１０の構成は、第一実施形態と同様の構成であるので、同じ符号を付して説明を省略する。
【００５８】
支持部２２０は、係止部２１０を挟んで、Ｙ軸方向両側に形成されている。図６中、右側に位置する第一支持部２２０ａは、第一実施形態の支持部２０（図１参照）と同様の構成である。図６中、左側に位置する第二支持部２２０ｂは、第一実施形態の垂下部３２（図１参照）が延長して構成されることになる。具体的には、第二支持部２２０ｂは、天井吊ボルト３を中心として、第一支持部２２０ａに対して線対称形状に形成されており、底板部２０ａおよび側壁部２０ｂ，２０ｃを備えている。側壁部２０ｂには天井吊ボルト３に当接する当接部２２が形成されている。また、側壁部２０ｂにはボルト孔３３が、側壁部２０ｃにはボルト挿通孔２１がそれぞれ形成されている。第一支持部２２０ａのボルト挿通孔２１，２１、第二支持部２２０ｂのボルト孔３３とボルト挿通孔２１は、Ｙ軸方向に沿って直線状に配置されている。なお、ボルト孔３３の形成位置は、第二支持部２２０ｂの側壁部２０ｂに限定されるものではなく、第二支持部２２０ｂの側壁部２０ｃ、第一支持部２２０ａの側壁部２０ｂ，２０ｃのいずれであってもよい。
【００５９】
固定機構２３０は、第一実施形態と同様に、切欠部１１の開口端１１ａ側で少なくとも天井吊ボルト３またはナット部材４に係止することによって、天井吊ボルト３から係止部２１０が離反するのを防止するように構成されている。具体的には、固定機構２３０は、天井吊ボルト３の挿通位置よりも切欠部１１の開口端１１ａ側で、ナット部材４の下側に位置してナット部材４の底面４ｂと天井吊ボルト３の側面３ｂに係止するように支持部２２０に取り付けられたボルト３１を備えて構成されている。ボルト３１は、第一支持部２２０ａの側壁部２０ｃのボルト挿通孔２１から、第一支持部２２０ａの側壁部２０ｂのボルト挿通孔２１、第二支持部２２０ｂの側壁部２０ｂのボルト孔３３、第二支持部２２０ｂの側壁部２０ｃのボルト挿通孔２１へと挿通可能な長さを有している。
【００６０】
このような構成によれば、第一実施形態と同様の作用効果の他に、係止部２１０のＹ軸方向両側で、バランスよく受部材５を支持することができるので、天井裏足場支持用金具２０６がナット部材４の接点を中心として回転しようとするのを防止することができるといった作用効果を得られる。なお、本実施形態においても、当接部２２は、支持部２２０が受ける荷重を分散して天井吊ボルト３に伝達できるので、係止部２１０にかかる積載荷重およびモーメント力を低減できる。これによって、天井裏足場支持用金具２０６の板厚を薄くでき、軽量化を図れる。
【００６１】
（第四実施形態）
本発明に係る天井裏足場支持構造および天井裏足場支持用金具を実施するための第四の最良の実施の形態について図面を参照して詳細に説明する。
【００６２】
図８は、（ａ）および（ｂ）は、本発明に係る天井裏足場支持構造および天井裏足場支持用金具を実施するための第四の最良の形態を示した斜視図である。図９は、第四実施形態に係る天井裏足場支持用金具を示した（ａ）は平面図、（ｂ）は正面図、（ｃ）は側面図である。
【００６３】
図８に示すように、かかる実施形態の天井裏足場支持構造３０１は、天井吊ボルト３に螺合されたナット部材４に、天井吊ボルト３を挟むように両側で一対の受部材５を支持する天井裏足場支持用金具３０６を載置して支持する構成は第三実施形態と同様であるが、天井裏足場支持用金具３０６の構成が第三実施形態と異なっている。
【００６４】
図８および図９に示すように、天井裏足場支持用金具３０６は、ナット部材４上に載置される係止部３１０と、受部材５を支持する支持部３２０と、天井吊ボルト３から係止部３１０が離反するのを防止する固定機構３３０と、を備えて構成されている。本実施形態の天井裏足場支持用金具３０６は、支持部３２０が、天井吊ボルト３を挟んで両側に形成されている。
【００６５】
係止部３１０には、Ｘ軸方向に延びる切欠部３１１が形成されている。切欠部３１１の開口端３１１ａ側の切欠部３１１の幅方向（Ｙ軸方向）両側下部には、ナット部材４に向けて折り返された折返部３３４が形成されている。折返部３３４は、第二実施形態の折返部１３４と同等の形状に形成されている。
【００６６】
係止部３１０の、Ｘ軸方向において、切欠部３１１の開口端３１１ａとは逆側の端部には、垂下部３３１が形成されている。この垂下部３３１には、ボルト孔３３３が形成されている。このボルト孔３３３には、折返部３３４がナット部材４の外側面４ｃに押し付けられて係止する方向に天井吊ボルト３を押圧するボルト３１（ボルト部材）が螺合されるようになっている。
【００６７】
本実施形態にかかる固定機構３３０は、折返部３３４とボルト３１とを備えて構成されており、第二実施形態と類似の固定構造となっている。
【００６８】
支持部３２０は、係止部３１０を挟んで、Ｙ軸方向両側に形成されている。各支持部３２０，３２０は、第三実施形態の支持部２２０（図６参照）からボルト挿通孔とボルト孔を取り除いた形状に構成されており、互いに、天井吊ボルト３を中心として、線対称形状に形成されている。支持部３２０は、底板部２０ａ，側壁部２０ｂ，２０ｃをそれぞれ備え、係止部３１０側の側壁部２０ｂには天井吊ボルト３に当接する当接部２２が形成されている。
【００６９】
このような構成によれば、第二実施形態と同様の作用効果の他に、係止部３１０のＹ軸方向両側で、受部材５をバランスよく支持することができるので、天井裏足場支持用金具３０６がナット部材４との接点を中心として回転しようとするのを防止することができるといった作用効果を得られる。
【００７０】
なお、本実施形態では、受部材５の上部を押さえる部材が設けられていないが、別途、ボルト等を配置するようにしてもよい。
【００７１】
以上、本発明を実施するための形態についてそれぞれ説明したが、本発明は前記の各実施形態に限定されず、本発明の趣旨を逸脱しない範囲で、材質、形状や大きさなど適宜設計変更が可能である。例えば、第一実施形態で、ナット部材４の下側に位置してナット部材４の底面４ｂと天井吊ボルト３の側面３ｂに係止する棒状部材は、ボルト３１にて構成されているが、これに限定されるものではなく、支持部２０の側壁部２０ｂ，２０ｃや垂下部３２に着脱可能な構成を備えていれば、ピンやロッド等の他の棒状部材であってもよい。
【図面の簡単な説明】
【００７２】
【図１】本発明に係る天井裏足場支持構造および天井裏足場支持用金具を実施するための第一の最良の形態を示した斜視図である。
【図２】第一実施形態に係る天井裏足場支持用金具を示した（ａ）は平面図、（ｂ）は正面図、（ｃ）は側面図である。
【図３】第一実施形態に係る天井裏足場支持構造および天井裏足場支持用金具を示した全体斜視図である。
【図４】本発明に係る天井裏足場支持構造および天井裏足場支持用金具を実施するための第二の最良の形態を示した斜視図である。
【図５】第二実施形態に係る天井裏足場支持用金具を示した（ａ）は平面図、（ｂ）は正面図、（ｃ）は側面図である。
【図６】本発明に係る天井裏足場支持構造および天井裏足場支持用金具を実施するための第三の最良の形態を示した斜視図である。
【図７】第三実施形態に係る天井裏足場支持用金具を示した（ａ）は平面図、（ｂ）は正面図、（ｃ）は側面図である。
【図８】（ａ）および（ｂ）は、本発明に係る天井裏足場支持構造および天井裏足場支持用金具を実施するための第四の最良の形態を示した斜視図である。
【図９】第四実施形態に係る天井裏足場支持用金具を示した（ａ）は平面図、（ｂ）は正面図、（ｃ）は側面図である。
【符号の説明】
【００７３】
１      天井裏足場支持構造
２      足場板
３      天井吊ボルト
４      ナット部材
５      受部材
６      天井裏足場支持用金具
１０    係止部
１１    切欠部
１１ａ  （切欠部の）開口端
２０    支持部
２２    当接部
３０    固定機構
３１    ボルト（棒状部材、ボルト部材）
１０１  天井裏足場支持構造
１０６  天井裏足場支持用金具
１１０  係止部
１１１  切欠部
１１１ａ  （切欠部の）開口端
１２０  支持部
１３０  固定機構
１３４  折返部
２０１  天井裏足場支持構造
２０６  天井裏足場支持用金具
２１０  係止部
２２０  支持部
２３０  固定機構
３０１  天井裏足場支持構造
３０６  天井裏足場支持用金具
３１０  係止部
３１１  切欠部
３１１ａ  （切欠部の）開口端
３２０  支持部
３３０  固定機構
３３４  折返部
【図１】
0005374070.tif 000002
【図２】
0005374070.tif 000003
【図３】
0005374070.tif 000004
【図４】
0005374070.tif 000005
【図５】
0005374070.tif 000006
【図６】
0005374070.tif 000007
【図７】
0005374070.tif 000008
【図８】
0005374070.tif 000009
【図９】
0005374070.tif 000010